(57)【要約】【課題】カメラ本体の小型化を図る。【解決手段】  カメラ本体１は、ボディマウント１５０と、ＣＭＯＳイメージセンサー１１０と、シャッターユニット１９０と、シャッター駆動装置１９１と、電子ビューファインダー１８０と、を有する。ＣＭＯＳイメージセンサー１１０は被写体の光学像を電気信号に変換する。シャッターユニット１９０はレンズユニットを通る光を遮断可能である。シャッター駆動装置１９１はシャッターユニット１９０を駆動する。電子ビューファインダー１８０は、接眼窓１８３と、被写体の画像を電子的に表示するＥＶＦ用液晶モニタ１８１と、ＥＶＦ用液晶モニタ１８１で表示された被写体の画像を接眼窓１８３に導くＥＶＦ用光学系１８２と、を有する。そして、電子ビューファインダー１８０は横撮り姿勢の状態で受光面１１０ａに垂直な第１方向から見た場合にボディマウント１５０の側方かつシャッター駆動装置１９１の上側に配置されている。【選択図】図４
2010092028.tif 000002
【特許請求の範囲】
【請求項１】
被写体の光学像を形成するレンズユニットを装着可能なカメラ本体であって、
前記レンズユニットを装着可能なボディマウントと、
前記レンズユニットを通る光を受ける受光面を有し、前記被写体の光学像を電気信号に変換する撮像素子と、
前記ボディマウントと前記撮像素子との間に配置され、前記レンズユニットを通る光を遮断可能なシャッターと、
前記シャッターを駆動することで前記撮像素子の露光時間を制御するシャッター駆動装置と、
接眼窓と、前記被写体の画像を電子的に表示するファインダー画像表示部と、前記ファインダー画像表示部で表示された前記被写体の画像を前記接眼窓に導くファインダー光学系と、を有し、横撮り姿勢の状態で前記受光面に垂直な第１方向から見た場合に前記ボディマウントの側方かつ前記シャッター駆動装置の上側に配置されている電子ビューファインダーと、
を備えたカメラ本体。
【請求項２】
前記横撮り姿勢の状態で前記受光面に垂直な第１方向から見た場合に、前記シャッター駆動装置は前記ボディマウントの側方に配置される、
請求項１に記載のカメラ本体。
【請求項３】
シャッター釦をさらに備え、
前記シャッター駆動装置および前記電子ビューファインダーは、前記ボディマウントに対し前記シャッター釦と反対側に配置される、
請求項１または２に記載のカメラ本体。
【請求項４】
前記横撮り姿勢の状態で前記受光面に垂直な第１方向に沿って被写体側から見た場合に、前記シャッター駆動装置および前記電子ビューファインダーは、前記ボディマウントの右側に配置される、
請求項１から３のいずれかに記載のカメラ本体。
【請求項５】
前記撮像素子の前記ボディマウントと反対側に配置されたメイン回路基板をさらに備え、
前記横撮り姿勢の状態で前記受光面に平行な第２方向から見た場合に、前記メイン回路基板の少なくとも一部は前記電子ビューファインダーと重なる、
請求項１から４のいずれかに記載のカメラ本体。
【請求項６】
前記メイン回路基板は、前記撮像素子に対して前記ボディマウントと反対側に配置された標準領域と、前記標準領域から前記撮像素子の上側に延び、前記横撮り姿勢の状態で前記受光面に平行な第２方向から見た場合に前記電子ビューファインダーと重なる突出領域と、を有する、
請求項５に記載のカメラ本体。
【請求項７】
前記電子ビューファインダーは、前記横撮り姿勢の状態で前記電子ビューファインダーの下端の位置する高さが前記ボディマウントの上端の位置する高さよりも低くなるように配置される、
請求項１から６のいずれかに記載のカメラ本体。
【請求項８】
汎用外部装置を装着可能なホットシューをさらに備え、
前記ホットシューの少なくとも一部は、前記横撮り姿勢の状態で前記受光面に平行な第２方向から見た場合に、前記電子ビューファインダーと重なる、
請求項１から７のいずれかに記載のカメラ本体。
【請求項９】
前記ホットシューは、前記横撮り姿勢の状態で前記受光面に垂直な第１方向から見た場合に前記ボディマウントの上側に配置される、
請求項８に記載のカメラ本体。
【請求項１０】
電荷を蓄積するコンデンサをさらに備え、
前記横撮り姿勢の状態で前記受光面に垂直な第１方向から見た場合に、前記コンデンサは前記撮像素子よりも上側に配置され、前記電子ビューファインダーは前記コンデンサの側方に配置される、
請求項１から９のいずれかに記載のカメラ本体。
【請求項１１】
前記電子ビューファインダーは、前記レンズユニットの第１光軸が前記ファインダー光学系の第２光軸と概ね平行な状態で前記カメラ本体に接続される、
請求項１から１０のいずれかに記載のカメラ本体。
【請求項１２】
前記電子ビューファインダーは、前記カメラ本体に回転可能に接続され、前記レンズユニットの第１光軸が前記ファインダー光学系の第２光軸と概ね平行な第１配置と、前記第１配置とは異なる第２配置と、をとり得る、
請求項１から１０のいずれかに記載のカメラ本体。
【請求項１３】
被写体の画像を取得するための撮像装置であって、
前記被写体の光学像を形成するレンズユニットと、
前記レンズユニットを装着可能であり、請求項１から１２のいずれかに記載のカメラ本体と、
を備えた撮像装置。
【発明の詳細な説明】
【技術分野】
【０００１】
本発明は、レンズユニットを装着可能なカメラ本体およびそれを備えた撮像装置に関する。
【背景技術】
【０００２】
特許文献１には、レンズユニットを交換可能な交換レンズ式のデジタルカメラが開示されている。このカメラは電子ビューファインダーとフラッシュ発光部とを備えている。電子ビューファインダーは表示器とミラーを備えており、表示器の表示面は光軸と平行に配置される。表示面に表示される画像はミラーを介してアイレベルポジションで観察される。そして、ミラーの背面に生じたスペースにフラッシュ発光部が配置されている。
【先行技術文献】
【特許文献】
【０００３】
【特許文献１】特開２００３−１６１９９３号公報
【発明の概要】
【発明が解決しようとする課題】
【０００４】
一方、以前より、交換レンズ式デジタルカメラの小型化が強く望まれている。
しかしながら、従来の交換レンズ式のデジタルカメラは、ミラーボックス装置を備えているため、カメラ本体の小型化が困難である。
そこで、本願の発明者らは、ミラーボックス装置を有しない新しい交換レンズ式のデジタルカメラを考案している。また、本願の発明者らは、焦点板やペンタプリズム等を備えた従来のオプティカルビューファインダーの代わりに、電子ビューファインダーあるいはカメラ背面に配されファインダー機能を兼ね備える表示装置を導入している。
しかしながら、従来のオプティカルビューファインダー機能部が配置されていた場所に電子ビューファインダーを配置すると、ペンタプリズムなどを配置するのと同等のスペースがボディマウントの上側に必要となり、各部品を効率的に配置できないので、カメラ本体の小型化が阻害される。
【０００５】
本発明の課題は、カメラ本体の小型化を図ることにある。
【課題を解決するための手段】
【０００６】
第１の特徴に係るカメラ本体は、被写体の光学像を形成するレンズユニットを装着可能であり、ボディマウントと、撮像素子と、シャッターと、シャッター駆動装置と、電子ビューファインダーと、を有する。ボディマウントは、レンズユニットを装着可能である。撮像素子はレンズユニットを通る光を受ける受光面を有し、被写体の光学像を電気信号に変換する。シャッターは、ボディマウントと撮像素子との間に配置され、レンズユニットを通る光を遮断可能である。シャッター駆動装置はシャッターを駆動することで撮像素子の露光時間を制御する。電子ビューファインダーは、接眼窓と、被写体の画像を電子的に表示するファインダー画像表示部と、ファインダー画像表示部で表示された被写体の画像を接眼窓に導くファインダー光学系と、を有する。そして、電子ビューファインダーは、横撮り姿勢の状態で受光面に垂直な第１方向から見た場合にボディマウントの側方かつシャッター駆動装置の上側に配置されている。
【０００７】
ここで、横撮り姿勢とは、撮像素子の受光面が横長の長方形である状態で、取得された画像内での鉛直方向が画像の短辺と概ね平行となるカメラ本体の姿勢をいう。より詳細には、例えばシャッター釦やホットシューが設けられている面が撮像素子に対して鉛直方向上側に位置するカメラ本体の姿勢をいう。
このカメラ本体では、電子ビューファインダーはボディマウントの側方に配置される。つまり、電子ビューファインダーは上下方向の大きさが比較的大きいボディマウントの上側を避けて配置される。さらに、上下方向の大きさを比較的小さくできるシャッター駆動装置の上側に電子ビューファインダーが配置される。これにより、各部品を効率的に配置することができ、カメラ本体の小型化が可能となる。
第２の特徴に係る撮像装置は、被写体の画像を取得するための撮像装置であって、被写体の光学像を形成するレンズユニットと、レンズユニットを装着可能な第１の特徴に係るカメラ本体と、を備えている。
【０００８】
この場合、撮像装置が第１の特徴に係るカメラ本体を備えているため、撮像装置の小型化が可能となる。
【発明の効果】
【０００９】
このように、上記のカメラ本体および撮像装置は小型化が可能である。
【図面の簡単な説明】
【００１０】
【図１】カメラ本体１（カメラ本体の一例）の斜視図
【図２】カメラ本体１のフラッシュポップアップ時の斜視図
【図３】カメラ本体１の中央縦断面
【図４】カメラ本体１の正面透視図
【図５】カメラ本体１の上面透視図
【図６】カメラ本体２（従来のレンズ交換式一眼レフレックスカメラのカメラ本体）の中央縦断面
【発明を実施するための形態】
【００１１】
本実施形態に係るデジタルカメラ（撮像装置の一例）はカメラ本体１とレンズユニットとを備えている。
＜１：レンズユニット＞
レンズユニット（図示せず）は、被写体の光学像を形成する光学系（図示せず）と、電気接点（図示せず）を有するレンズマウント（図示せず）と、レンズコントローラ（図示せず）と、を備えている。レンズマウントはカメラ本体１のボディマウント１５０（後述）に装着される。以下では、第１光軸とはレンズユニットの光学系の光軸中心線をいう。図３に示される線ＡＸ１は光学系の光軸中心線（第１光軸）を示している。レンズコントローラは、レンズユニットの使用等に関するレンズデータを格納しており、電気接点を介して、カメラ本体１のメイン回路基板１４０（後述）に実装されたカメラコントローラ（図示せず）にレンズデータの転送を行なうことができる。レンズコントローラおよびカメラコントローラによりフォーカスレンズ駆動制御、絞り駆動制御、振れ補正制御などが行なわれる。
【００１２】
＜２：カメラ本体＞
＜２−１：カメラ本体の概要＞
図１は、本実施形態に係るカメラ本体１の斜視図である。図２は、カメラ本体１の斜視図で、フラッシュ発光部１３２をポップアップした図である。図３は、カメラ本体１の中央縦断面図である。図４はカメラ本体１の正面透視図である。図５は、カメラ本体１の上面透視図である。
図３に示すように、カメラ本体１はミラーボックス装置を有していない。そのため、従来の一眼レフレックスカメラに比してフランジバックが短い。また、フランジバックを短くすることで、カメラ本体１が小型化されている。さらに、フランジバックを短くすることで、レンズユニットも小型化されている。以下、各部の詳細について説明する。説明の便宜のため、カメラ本体１の被写体側を前、撮像面側を後ろ又は背、カメラ本体１の通常姿勢（横撮り姿勢ともいう）における鉛直上側を上または上側、鉛直下側を下または下側、左右を側方、被写体側から見たときの左を左側、被写体側から見たときの右を右側ともいう。
【００１３】
ここで、横撮り姿勢とは、取得された画像内での鉛直方向が画像の短辺と概ね平行となるカメラ本体１の姿勢をいい、より詳細には、例えばシャッター釦１３（後述）やホットシュー１２１（後述）が設けられている面（上面１６０ａ）がＣＭＯＳイメージセンサー１１０（後述）に対して鉛直方向上側に位置するカメラ本体１の姿勢をいう。
また、高さとは、底面１６０ｂ（後述）から測った上下方向（後述）の距離をいう。さらに、上下方向で最も高い位置を上端、上下方向で最も低い位置を下端という。
以下では、ＣＭＯＳイメージセンサー１１０の受光面１１０ａ（後述）に垂直な方向を第１方向とする。また、横撮り姿勢での左右方向を第２方向とする。また、横撮り姿勢での鉛直方向を第３方向（上下方向ともいう）とする。なお、第２方向および第３方向は受光面１１０ａと平行である。つまり、第２方向は後述の長辺１１０ｂと平行であり、第３方向は後述の短辺１１０ｃと平行である。
【００１４】
＜２−２：カメラ本体の構成＞
図１から図５を用いて、本実施形態に係るカメラ本体１の構成を説明する。
カメラ本体１は、主に、ＣＭＯＳ（Complementary Metal Oxide Semiconductor）イメージセンサー１１０と、ＣＭＯＳ回路基板１１１と、表示装置１２０と、メイン回路基板１４０と、ボディマウント１５０と、電子ビューファインダー１８０と、シャッターユニット１９０と、光学的ローパスフィルタ１１２と、振動板１１３と、電池１１と、フラッシュ装置１３０と、ホットシュー１２１と、外装部材１６０と、を備えている。なお、カメラ本体１は、ミラーボックス装置を有していない。また、カメラ本体１には、前から順に、ボディマウント１５０、シャッターユニット１９０、振動板１１３、光学的ローパスフィルタ１１２、ＣＭＯＳイメージセンサー１１０、ＣＭＯＳ回路基板１１１、メイン回路基板１４０、表示装置１２０が配置されている。
【００１５】
外装部材１６０は、ボディ１２と、上面１６０ａと、底面１６０ｂと、を有し、ＣＭＯＳイメージセンサー１１０やコンデンサ１３３などの部品を内部に収容する。図３に示すように、ボディ１２はボディマウント１５０を支持する部材であり、レンズマウントの電気接点と接続可能な電気接点１５１が設けられている。
図１および図４に示すように、外装部材１６０の（つまりカメラ本体１の）上面１６０ａとは、外装部材１６０を構成する外装面であって、カメラ本体１の横撮り姿勢の状態で第１方向（後述）から見た場合にＣＭＯＳイメージセンサー１１０（後述）の上側にある外装面であり、底面１６０ｂとは、ＣＭＯＳイメージセンサー１１０の下側にある外装面である。
ＣＭＯＳイメージセンサー１１０（撮像素子の一例）は被写体の光学像（以下、被写体象ともいう）を電気的な画像信号に変換する。ＣＭＯＳイメージセンサー１１０はレンズユニットを通る光を受ける受光面１１０ａを有している。本実施形態では受光面１１０ａは長方形をしており、長辺１１０ｂと、短辺１１０ｃと、を有している。レンズユニットを通る光は受光面１１０ａ上で被写体の光学像を形成し、ＣＭＯＳイメージセンサー１１０は形成された光学像から光電変換により被写体の画像信号を生成する。ＣＭＯＳイメージセンサー１１０は、ＣＭＯＳ回路基板１１１（後述）により制御され、静止画信号および動画信号を取得する。なお、静止画信号および動画信号は画像信号の一例である。
【００１６】
このとき、受光面１１０ａが長方形であるため、ＣＭＯＳイメージセンサー１１０により取得される画像も長方形となり、長辺と短辺とを有する。カメラ本体１の横撮り姿勢の状態では、取得された画像内での鉛直方向は画像の短辺と概ね平行となる。
なお、ＣＭＯＳイメージセンサー１１０は撮像素子の一例であり、撮像素子は、ＣＣＤ（Charge Coupled Device）イメージセンサー等を含む概念である。
ＣＭＯＳ回路基板１１１は、ＣＭＯＳイメージセンサー１１０の後ろに配置され、ＣＭＯＳイメージセンサー１１０を駆動制御する回路基板である。具体的には、ＣＭＯＳ回路基板１１１はタイミング発生器を有し、ＣＭＯＳイメージセンサー１１０の動作を制御する。また、ＣＭＯＳ回路基板１１１は、ＣＭＯＳイメージセンサー１１０の生成する画像信号に所定の処理を施す回路基板である。例えば、ＣＭＯＳ回路基板１１１はＡＤコンバーターを有し、ＣＭＯＳイメージセンサー１１０により生成されるアナログ画像信号をデジタル画像信号に変換する。
【００１７】
メイン回路基板１４０は、デジタルカメラの各部を制御する様々な電子部品が実装される。具体的には、カメラ本体１およびレンズユニットの各部を制御するカメラコントローラがメイン回路基板１４０に実装される。
カメラコントローラは、シャッター駆動装置１９１（後述）を制御し、シャッターユニット１９０（後述）を動作させてＣＭＯＳイメージセンサー１１０の露光時間を調節する。
また、カメラコントローラはＣＭＯＳ回路基板１１１を制御する。ＣＭＯＳ回路基板１１１はカメラコントローラから入力される制御信号に基づいてＣＭＯＳイメージセンサー１１０の制御や画像信号処理などを行なう。
カメラコントローラは、ＣＭＯＳイメージセンサー１１０により生成されＣＭＯＳ回路基板１１１によりＡＤ変換等の処理を施された画像信号をさらに処理して画像データ（もしくは動画データ）を生成する。具体的には、表示用画像データ（もしくは表示用動画データ）や記録用画像データ（もしくは記録用動画データ）を生成する。より詳細には、カメラコントローラは、ガンマ補正処理、ホワイトバランス補正処理、キズ補正処理、ＹＣ変換処理、電子ズーム処理、ＪＰＥＧ（Joint Photographic Experts Group）圧縮処理などの処理をＣＭＯＳ回路基板１１１から取得した画像信号に施す。生成された表示用画像データ（もしくは表示用動画データ）は表示装置１２０（後述）や電子ビューファインダー１８０（後述）に表示される。また、生成された記録用画像データ（もしくは記録用動画データ）は、記録媒体（図示せず）に記録される。
【００１８】
また、前述のようにカメラコントローラはレンズコントローラを通じてレンズユニットを制御する。
カメラコントローラはシャッター釦１３などの操作部と電気的に接続されており、操作部から入力される信号を受け付ける。操作部により入力される信号から得られる情報は、カメラコントローラがデジタルカメラの各部を制御する際に利用される。
図４に示すように、本実施形態でのメイン回路基板１４０は、ＣＭＯＳイメージセンサー１１０に対してボディマウント１５０と反対側に配置された標準領域１４０ａと、横撮り姿勢において標準領域１４０ａからＣＭＯＳイメージセンサー１１０の上側に延びる突出領域１４０ｂと、を有している。
表示装置１２０は、例えば液晶ディスプレイであり、表示用画像データが示す画像（以下、表示用画像ともいう）等を表示する。表示用画像データは、画像処理された画像信号や、カメラ本体１の撮影条件、操作メニュー等を画像として表示するためのデータ等である。表示装置１２０は、動画像も静止画像も選択的に表示可能である。
【００１９】
なお、表示装置１２０としては、他にも、有機ＥＬ、無機ＥＬ、プラズマディスプレイパネル等、画像を表示できるものを用いることができる。
電子ビューファインダー（以下、ＥＶＦともいう）１８０は、ＥＶＦ用液晶モニタ１８１と、ＥＶＦ用光学系１８２と、接眼窓１８３と、を有し、被写体の画像を表示する。ＥＶＦ１８０は、動画像も静止画像も選択的に表示可能である。また、ＥＶＦ１８０と表示装置１２０とは、同じ内容を表示する場合と、異なる内容を表示する場合とがある。
ＥＶＦ用液晶モニタ１８１（ファインダー画像表示部の一例）は、表示用画像もしくは表示用動画像を電子的に表示する。ここで、表示用動画像とは、表示用動画データが示す動画像である。
ＥＶＦ用液晶モニタ１８１は、ファインダー画像表示部の一例である。ファインダー画像表示部は画像を表示するデバイスであり、液晶モニタ以外にも、有機ＥＬ、無機ＥＬ、プラズマディスプレイパネル等のデバイスが用いられる。なお、ＥＶＦ用液晶モニタ１８１は照明光源を備えているが、有機ＥＬのような自発光デバイスをファインダー画像表示部として使用する場合は照明光源を設ける必要はない。
【００２０】
ＥＶＦ用光学系１８２（ファインダー光学系の一例）は、ＥＶＦ用液晶モニタ１８１に表示された画像を拡大する。以下では、第２光軸とはＥＶＦ用光学系１８２の光軸中心線をいう。図２に示される線ＡＸ２はＥＶＦ用光学系１８２の光軸中心線（第２光軸）を示している
接眼窓１８３には、ＥＶＦ用光学系１８２により拡大された画像が導かれる。ユーザーは接眼窓１８３を覗くことでＥＶＦ用光学系１８２により拡大された画像を観察する。
なお、ユーザーはＥＶＦ１８０に目を近づけて見ることにより、ＥＶＦ１８０に表示される画像を観察する。つまり、ＥＶＦ１８０が接眼窓１８３を有するのに対して表示装置１２０は接眼窓を有しない。
図２において、第２光軸（ＥＶＦ用光学系１８２の光軸ＡＸ２）は第１光軸（レンズユニットの光軸ＡＸ１）と概ね平行である。ＥＶＦ１８０が図２に示す状態にあるとき、ＥＶＦ１８０は第１配置の状態にあるという。ここで、第１配置の状態は、いわゆるアイレベルポジションである。つまり、第１配置はユーザーが接眼窓１８３を目の高さまで持ち上げて覗き込むのに適した配置である。以下では、本実施形態におけるＥＶＦ１８０の第１配置をアイレベルポジションともいう。
【００２１】
また、ＥＶＦ１８０は回転軸１８４により、カメラ本体１に対して回転可能に接続されている。ＥＶＦ１８０は、回転軸１８４を中心として回転することにより、アイレベルポジション（第１配置）以外の状態をとり得る。アイレベルポジション（第１配置）以外の状態にあるとき、ＥＶＦ１８０は第２配置の状態にあるという。図１に点線で示すＥＶＦ１８０の配置は第２配置の一例であり、図１に点線で示すＥＶＦ１８０において、第２光軸（ＡＸ２）は第１光軸（ＡＸ１）と概ね直交する。ここで、図１に点線で示すＥＶＦ１８０の配置は、いわゆるウエストレベルポジションである。つまり、図１に点線で示すＥＶＦ１８０の配置は、ユーザーがカメラ本体１を目の位置よりも下側に保持しつつ接眼窓１８３を見下ろすように覗くことが可能な配置である。以下では、本実施形態におけるＥＶＦ１８０の第２配置をウエストレベルポジションともいう。
【００２２】
ボディマウント１５０は、レンズユニットを装着可能である。レンズユニットはいわゆるバヨネット結合によりボディマウント１５０に装着される。
レンズユニットが装着された状態では、電気接点１５１がレンズマウントの電気接点と接続するので、レンズユニットはカメラ本体１と電気的に接続される。つまり、電気接点１５１とレンズマウントの電気接点とを介して、カメラ本体１とレンズユニットとの間で、データまたは制御信号が送受信される。具体的には、レンズユニット内部のレンズコントローラが発信するデータは電気接点１５１とレンズマウントの電気接点とを介してカメラ本体１内部のカメラコントローラまで伝わる。カメラコントローラは入力されたデータに基づいて制御信号を生成し、レンズコントローラへ伝える。レンズコントローラは、電気接点１５１およびレンズマウントの電気接点を介してカメラコントローラから入力される制御信号に基づきレンズユニットの各部を制御する。
【００２３】
図４に示すように、ボディマウント１５０は円環状の部材であり、外縁１５０ａと内縁１５０ｂとを有している。また、第１上端１５０ｃ（ボディマウントの上端の一例）は外縁１５０ａ上にあり、ボディマウント１５０の上端である。つまり、第１上端１５０ｃは横撮り姿勢の状態での外縁１５０ａの最も高い位置を表している。
シャッターユニット１９０（シャッターの一例）は、フォーカルプレーンシャッターであり、先幕（図示せず）および後幕（図示せず）を有している。先幕および後幕との間に形成されるスリットによりＣＭＯＳイメージセンサー１１０の露光時間が調節される。図３に示すように、シャッターユニット１９０は、ボディマウント１５０とＣＭＯＳイメージセンサー１１０との間に配置される。
シャッター駆動装置１９１はシャッターユニット１９０に対してシャッター駆動を行う。つまり、シャッター駆動装置１９１が先幕および後幕を走行させることで先幕と後幕との間にスリットが形成される。また、シャッター駆動装置１９１はチャージ駆動を行なう。つまり、シャッター駆動装置１９１は、シャッター駆動装置１９１内に設けられた電磁モータなどによる電気的な駆動力を利用して先幕および後幕を走行可能な状態にセットする。
【００２４】
光学的ローパスフィルタ１１２は、被写体光の高周波成分を取り除く。具体的には、光学的ローパスフィルタ１１２は、レンズユニットにより形成される被写体像がＣＭＯＳイメージセンサー１１０の画素のピッチよりも荒い解像となるように、被写体光の高周波成分を分離する。一般的にＣＭＯＳイメージセンサー１１０等の撮像素子には、各画素にベイヤー配列と呼ばれるＲＧＢ色のカラーフィルターやＹＣＭ色の補色カラーフィルターが配されている。従って、被写体像がそのまま解像されると偽色が発生するばかりでなく、繰り返しパターンの被写体では醜いモアレ現象が発生する。さらに光学的ローパスフィルタ１１２は、赤外光をカットするためのＩｒカットフィルタ機能も兼ね備えている。
振動板１１３は、ＣＭＯＳイメージセンサー１１０とシャッターユニット１９０の間に配置され、ＣＭＯＳイメージセンサー１１０への埃の付着を防ぐ。また、振動板１１３は、振動板１１３自身に付着した埃を振動により振り落とす。具体的には、振動板１１３は、透明の薄い板状部材と、圧電素子と、固定部材と、を有し、板状部材が圧電素子を介して固定部材に固定されている。圧電素子に交流電圧を印加すると圧電素子が振動し、さらに圧電素子が板状部材を振動させる。
【００２５】
振動板１１３の前面には、防曇層が形成されている。具体的には、酸化チタン等の透明な光触媒が塗布されている。なお、防曇層は、振動板１１３の前面だけでなく、光学的ローパスフィルタ１１２の前面、または、ＣＭＯＳイメージセンサー１１０の前面に形成してもよい。ただし、レンズユニットとＣＭＯＳイメージセンサー１１０の間に配置されレンズユニットからの光を透過する部材のうち、最も前方に配置される部材の前面に防曇層を設けるのが好ましい。そこで、本実施形態では、ＣＭＯＳイメージセンサー１１０とシャッターユニット１９０の間に配置される振動板１１３に防曇層を形成している。これにより、シャッターユニット１９０が開口状態である場合にボディマウント１５０から進入する汚れあるいは唾液等の水分や油分等は、振動板１１３の表面に付着する。そして、付着した汚れは、光触媒である酸化チタンにより振動板１１３の表面から容易に除去される。具体的には、振動板１１３に形成された防曇層上の酸化チタンは、光を照射されると電子を奪われ強力な酸化力を生じる。酸化チタンの酸化力により、空気中の水酸化物イオンは電子を奪われ、強力な酸化力を有する水酸化ラジカルとなる。水酸化ラジカルは、汚れに含まれる有機物から電子を奪い、有機物は二酸化炭素と水分に分解され、空気中に放出される。このとき、振動板１１３を振動させるとさらに効果が高まる。
【００２６】
また、光触媒は、酸化チタンのような紫外線を吸収するものや、赤外線を吸収するものが好ましい。これらは可視光を透過するため、ＣＭＯＳイメージセンサー１１０に到達する可視光の減少を抑制できるからである。なお、防曇層は指紋のつきにくい多層膜ＡＲ（Anti Reflection）コートなどでもよい。
シャッター釦１３は、外装部材１６０の上面１６０ａに配置され、押下による操作を受付ける。シャッター釦１３が押下されると、撮像動作が行なわれる。具体的には、シャッター釦１３が押下されるとシャッター釦１３からカメラコントローラにレリーズ信号が伝わり、さらに、カメラコントローラからシャッター駆動装置１９１に制御信号が伝わる。制御信号が入力されると、シャッター駆動装置１９１はシャッターユニット１９０を駆動し、ＣＭＯＳイメージセンサー１１０の露光が行なわれる。
【００２７】
図１および図４に示すように、横撮り姿勢で第１方向（受光面１１０ａに垂直な方向）に沿って被写体側から見た場合に、シャッター釦１３はボディマウント１５０の左側に配置されている。ボディマウント１５０の左側は一般にユーザーが片手でカメラ本体１を支持する場合に握る側（以下、グリップ側ともいう）であるので、言い換えればカメラ本体１ではシャッター釦１３がグリップ側に設けられている。
コンデンサ１３３は、電荷を蓄積し、蓄積した電荷の放出により電力を供給する。例えば、コンデンサ１３３に蓄えられた電力はフラッシュ装置１３０（後述）へ供給される。
図４に示すように、横撮り姿勢の状態で第１方向（受光面１１０ａに垂直な方向）から見た場合に、コンデンサ１３３はＣＭＯＳイメージセンサー１１０よりも上側に配置され、コンデンサ１３３の側方にはＥＶＦ１８０が配置されている。
【００２８】
フラッシュ装置１３０は、フラッシュ発光部１３２と、ポップアップヒンジ部１３１と、を有し、フラッシュ光を出射する。フラッシュ発光部１３２はフラッシュ光を発する。具体的には、フラッシュ発光部１３２は、コンデンサ１３３から電力の供給を受け、シャッターユニット１９０が動作するタイミングに合わせて発光する。フラッシュ光の出射はフラッシュ装置１３０のポップアップ状態で行なわれる。図２はフラッシュ装置１３０のポップアップ状態を示している。ポップアップヒンジ部１３１は、フラッシュ装置１３０を外装部材１６０に対して回転可能に接続する。
フラッシュ装置１３０は、カメラ本体１への収納が可能である。図１はフラッシュ装置１３０がカメラ本体１に収納された状態を示している。ポップアップ状態のフラッシュ装置１３０は、ポップアップヒンジ部１３１を中心として回転させると、カメラ本体１に収納された状態になる。
【００２９】
ホットシュー１２１は、外装部材１６０の上面１６０ａに配置されており、汎用外部部品を装着可能である。汎用外部部品とは、例えば外付けのフラッシュ発光装置である。
電池１１は、デジタルカメラで使用する電力を各部に供給する。電池１１は、例えば乾電池であってもよいし、充電池であってもよい。
図４に示すように、カメラ本体１では、横撮り姿勢の状態で第１方向に沿って被写体側から見た場合に、電池１１がボディマウント１５０の左側（グリップ側）に配置されている。
なお、電力を供給する電源ユニットとして電池１１以外を用いてもよい。例えば、電源ユニットは電源コードなどを介して外部の電源から電力の供給を受け、カメラ本体１に電力を供給するユニットでもよい。
【００３０】
＜３：従来の一眼レフレックスカメラ＞
ここで、従来のレンズ交換式デジタル一眼レフレックスカメラのカメラ本体２について説明する。図６はカメラ本体２の中央縦断面図である。
図６に示すように、カメラ本体２は主に、ボディ２１４、ＣＭＯＳイメージセンサー２１０と、ＣＭＯＳ回路基板２１１と、表示装置２２０と、メイン回路基板２４０と、ボディマウント２５０と、ミラーボックス２８、オプティカルファインダー部２７、シャッターユニット２９０と、光学的ローパスフィルタ２１２と、振動板２１３と、電池２１と、フラッシュ装置２３０と、を備えている。これらの構成については、ミラーボックス２８を除いて、カメラ本体１での対応する構成と実質的に同じ機能を有するため、その詳細な説明は省略する。
【００３１】
ミラーボックス２８では、半透過のメインミラー２８１が概ね４５度上向きに傾けられた状態で配置され、レンズユニットにより生成されメインミラー２８１で反射された被写体の光学像がオプティカルファインダー部２７に導かれる。メインミラー２８１には、全反射のサブミラー２８２が下向きに配置され、サブミラー２８２により反射された被写体の光学像がＡＦセンサー２８３に導かれる。レリーズ信号が入力されると、メインミラー２８１とサブミラー２８２はシャッターユニット２９０が露光を開始する前に跳ね上げられ、ＣＭＯＳイメージセンサー２１０までの光路が確保される。ここで、例えばシャッター釦（図示せず）の押下によりレリーズ信号がカメラ本体２に入力される。
ＡＦセンサー２８３は、例えば位相差検出モジュールであり、フォーカス位置を検出する。ＡＦセンサー２８３で取得されたフォーカス位置の情報はレンズユニットに伝えられ、伝えられたフォーカス位置の情報に基づいてレンズユニットでのフォーカスレンズ駆動制御が行なわれる。
【００３２】
オプティカルファインダー部２７は、ユーザーが被写体の光学像を確認するためのファインダーであって、焦点板２７１と、像反転機能を持ったペンタプリズム２７２と、被写体の光学像を拡大する接眼レンズ２７３と、を有している。焦点板２７１は、メインミラー２８１との光学距離がＣＭＯＳイメージセンサー２１０とメインミラー２８１との光学的距離に等しくなる位置に配置されている。このため、焦点板２７１には、ＣＭＯＳイメージセンサー２１０に結像される被写体の光学像と同じフォーカス状態で被写体の光学像が結像される。焦点板２７１に結像された被写体の光学像はペンタプリズム２７２で成立像へと反転され、接眼レンズ２７３により拡大される。これにより、ユーザーは接眼レンズ２７３を覗いて被写体の光学像を確認できる。
フラッシュ発光部２３２は通常の場合、ペンタプリズム２７２のさらに上側に配置されるので、従来のカメラ本体２では上下方向の大きさが大きくなる傾向にあり、小型化が困難である。
【００３３】
レンズユニットは、カメラ本体１の場合と同じように、ボディマウント２５０にバヨネット結合で取り付けることが可能である。結合後のカメラ本体２は電気接点２５３によりレンズユニットとの間での電気的に接続される。
＜４：部品の配置＞
前述のカメラ本体１では、上記のカメラ本体２とは異なり、ミラーボックス装置が搭載されていないので、それに伴い、オプティカルファインダー部２７も省略することができる。そしてオプティカルファインダー部２７の代わりに電子ビューファインダー１８０を導入している。
しかし、電子ビューファインダー１８０を従来のオプティカルファインダー部２７が配置されていたのと同じ位置に配置すると、部品の効率的な配置ができず、カメラ本体の小型化が妨げられる。
【００３４】
そこで、カメラ本体１では、主に電子ビューファインダー１８０とシャッター駆動装置１９１の配置を工夫することで小型化を実現している。
具体的には、図４に示すように、ＥＶＦ１８０は、第１方向（受光面１１０ａに垂直な方向）に沿って被写体側から見た場合に、ボディマウント１５０の右側に配置されている。またこのとき、ＥＶＦ１８０はシャッター駆動装置１９１の上側に配置されている。
ここで、ボディマウント１５０の左側にはシャッター釦１３および電池１１が設けられている。つまり、ＥＶＦ１８０およびシャッター駆動装置１９１はボディマウント１５０に対してシャッター釦１３および電池１１と反対側に配置されているともいえる。さらに、ボディマウント１５０の左側には一般的にユーザーが片手でカメラ本体１を支持するためのグリップが設けられので、ＥＶＦ１８０およびシャッター駆動装置１９１はボディマウント１５０に対してグリップと反対側に配置されているともいえる。
【００３５】
このように、カメラ本体１のグリップ側には撮影に必要なデバイスを配置しなくてもよいので、電池１１の配置スペースを比較的広く確保でき、大容量の電池を配置することも可能である。
シャッター駆動装置１９１は、電磁モータなどの構成部品をシャッターユニット１９０の上端よりもなるべく下側に配置することにより、シャッターユニット１９０と概ね同じ高さになるように構成されている。その結果、図４に示すように、シャッター駆動装置１９１の第２上端１９１ａはボディマウント１５０の第１上端１５０ｃの位置よりも低い位置に配置され、ボディマウント１５０の側方かつシャッター駆動装置１９１の上側には比較的広いスペースが生じる。カメラ本体１ではこのスペースを有効利用し、ＥＶＦ１８０が配置されている。
【００３６】
また、横撮り姿勢の状態において、ＥＶＦ１８０の第１底面１８０ａ（ＥＶＦの下端の一例）はボディマウント１５０の第１上端１５０ｃの配置される位置よりも低い位置に配置されている。その結果、ボディマウント１５０の上側にＥＶＦ１８０を配置した場合に比べてカメラ本体１の上下方向の大きさが抑制されている。このような配置が可能なのは、カメラ本体１では、ＥＶＦ１８０はボディマウント１５０の上側を避けて配置されており、ＥＶＦ１８０の下端が配置される位置はボディマウント１５０による制限を受けないからである。
ここで、第１底面１８０ａは、横撮り姿勢の状態でＥＶＦ１８０をアイレベルポジション（第１配置）にしたときに最も低い位置にくる面であり、ＥＶＦ１８０の下端の一例である。ＥＶＦ１８０の下端とは、ＥＶＦ１８０を構成する部品のうち上下方向で最も低い位置にある部品の下端をいう。ＥＶＦ１８０を構成する部品は主に、接眼窓１８３、ＥＶＦ用光学系１８２、ＥＶＦ用液晶モニタ１８１をいうが、これ以外の構成部品が含まれていてもよい。カメラ本体１では、接眼窓１８３、ＥＶＦ用光学系１８２、ＥＶＦ用液晶モニタ１８１を内部に収容する外装がＥＶＦ１８０を構成する部品に含まれる。図１に示すように、第１底面１８０ａおよび第２底面１８０ｂはＥＶＦ１８０の外装面である。本実施形態では、アイレベルポジション（第１配置）でのＥＶＦ１８０の下端は第１底面１８０ａである（図２を参照）。一方、ウエストレベルポジション（第２配置の一例）ではＥＶＦ１８０の下端は第２底面１８０ｂである（図１を参照）。
【００３７】
図３に示すように、ＥＶＦ１８０の一部が、第２方向（横撮り姿勢での左右方向）から見たときにメイン回路基板１４０の突出領域１４０ｂと重なっている。つまり、第１方向から見ると、図４に示すように、突出領域１４０ｂはＥＶＦ１８０の第１底面１８０ａよりも上側に突き出している。そして、突出領域１４０ｂが配置されている場所は、従来のオプティカルファインダー部２７が配置されていた場所である（図６を参照）。このように、カメラ本体１では、突出領域１４０ｂを配置することにより、オプティカルビューファインダー機能を省略することにより生じたスペースが有効利用されている。
また、図３に示すように、ホットシュー１２１は第２方向から見たときにＥＶＦ１８０と重なっている。
ここで、ホットシュー１２１に装着される汎用外部部品は、外部フラッシュ装置など比較的重量のある部品であるため、ホットシュー１２１にはある程度の強度が必要とされる。また、ホットシュー１２１はカメラ本体１と電気的に接続するための電気配線などの部材を下部に有している。このため、ホットシュー１２１はある程度の厚みがある部品である。そして、ホットシュー１２１にはある程度重量のある汎用外部部品を接続するため、汎用外装部品を装着したときのカメラ本体１の重量バランスを考慮して、本実施形態ではホットシュー１２１はボディマウント１５０の上側に配置される（図４を参照）。
【００３８】
しかしながら、カメラ本体１ではＥＶＦ１８０はボディマウント１５０の側方に配置されているので、ホットシュー１２１とＥＶＦ１８０とを第２方向から見たときに重なるように配置でき、カメラ本体１の上下方向の大きさが抑制されている。
さらに、第２方向（横撮り姿勢での左右方向）から見ると、コンデンサ１３３は、ＣＭＯＳイメージセンサー１１０よりも上側かつボディマウント１５０よりもＣＭＯＳイメージセンサー１１０側に配置されている。つまり、カメラ本体１においてコンデンサ１３３が配置されている場所は、従来のカメラ本体２でオプティカルファインダー部２７（図６を参照）が配置されていた場所に相当する。また、ポップアップヒンジ部１３１および収納された状態でのフラッシュ発光部１３２は、コンデンサ１３３と外装部材１６０の隙間に配置される。このように、コンデンサ１３３およびフラッシュ装置１３０は、オプティカルビューファインダー機能を廃止したことにより生じるスペースを有効利用して配置されている。
【００３９】
＜５：カメラ本体の特徴＞
以上に説明したカメラ本体の特徴を以下にまとめる。
（１）このカメラ本体１では、ＥＶＦ１８０はボディマウント１５０の側方に、つまり、上下方向の大きさが比較的大きいボディマウント１５０の上側を避けて配置される。さらに、上下方向の大きさを比較的小さくできるシャッター駆動装置１９１の上側にＥＶＦ１８０が配置される。これにより、各部品を効率的に配置することができ、カメラ本体１の小型化が可能となる。
（２）このカメラ本体１では、シャッター駆動装置１９１がボディマウント１５０の側方に配置されるので、シャッター駆動装置１９１の上側に配置されるＥＶＦ１８０はボディマウント１５０の側方かつ、すくなくともＣＭＯＳイメージセンサー１１０よりも上側に確実に配置される。このように、部品が比較的集中して配置されるボディマウント１５０およびＣＭＯＳイメージセンサー１１０の近くを避けてＥＶＦ１８０を配置することにより、カメラ本体１内部のスペースを有効に活用できる。
【００４０】
（３）シャッター釦１３は一般にカメラ本体１を支持するときに握る側（つまりグリップ側）に配置されるので、シャッター釦１３と同じ側にＥＶＦ１８０を設けると、シャッター釦１３を操作するときに手と顔とが干渉してしまい、覗きにくくなる。
そこで、このカメラ本体１では、横撮り姿勢の状態で第１方向（受光面１１０ａに垂直な方向）から見てシャッター釦１３と反対側にシャッター駆動装置１９１を配置し、その上側にＥＶＦ１８０を配置することで、操作性を向上させている。さらに、ＥＶＦ１８０が第１方向に沿って被写体側から見てカメラ本体１の右上（つまり、カメラ本体１の後ろから見たときの左上）に配置されるので、ＥＶＦ１８０を覗いたときに鼻が接触して表示装置１２０が汚れるのを防止できる。
また、シャッター釦１３は一般にカメラ本体１の横撮り姿勢の状態で第１方向に沿って被写体側から見て左側に配置される。したがって、このカメラ本体１では、カメラ本体１の横撮り姿勢の状態で受光面１１０ａに垂直な第１方向に沿って被写体側から見て右側にシャッター駆動装置１９１を配置することで操作性を向上させているともいえる。
【００４１】
（４）このカメラ本体１では、ボディマウント１５０の上側を避けてＥＶＦ１８０が配置されるので、ＣＭＯＳイメージセンサー１１０の上側でＣＭＯＳイメージセンサー１１０と比較的近い場所にメイン回路基板１４０を広く配置することができる。そのため、電気配線および設計の自由度が増し、部品の効率的な配置によるカメラ本体１の小型化が可能となる。
さらにこのカメラ本体１では、メイン回路基板１４０の標準領域１４０ａからＣＭＯＳイメージセンサー１１０の上側に延びた突出領域１４０ｂが、第２方向（横撮り姿勢での左右方向）から見たときにＥＶＦ１８０と重なっている。このように、ボディマウント１５０の上側のスペースを有効利用しているため、部品を効率的に配置でき、カメラ本体１の小型化が可能となる。
【００４２】
（５）このカメラ本体１では、シャッター駆動装置１９１の第２上端１９１ａがボディマウント１５０の第１上端１５０ｃよりも低い位置に配置されている。このため、シャッター駆動装置１９１の上側に配置されるＥＶＦ１８０の第１底面１８０ａ（ＥＶＦの下端の一例）をボディマウント１５０の第１上端１５０ｃより低い位置に配置できるので、カメラ本体１の上下方向の大きさを抑制できる。
（６）このカメラ本体１では、ホットシュー１２１はボディマウント１５０の上側に配置されるが、ＥＶＦ１８０はボディマウント１５０の上側を避けて配置されている。さらに、第２方向から見た場合に、ホットシュー１２１と重なるようにＥＶＦ１８０が配置される。したがって、比較的厚みのあるホットシュー１２１がＥＶＦ１８０の上側に配置される場合に比べてカメラ本体１の上下方向の大きさを抑制でき、カメラ本体１の小型化が可能となる。
【００４３】
（７）このカメラ本体１では、従来のオプティカルビューファインダー機能を省略することによって生じるＣＭＯＳイメージセンサー１１０の上側の空間にコンデンサ１３３を配置している。このため、デッドスペースの有効利用が可能になり、カメラ本体１全体を小型化できる。
（８）このカメラ本体１では、ＥＶＦ１８０がカメラ本体１に回転可能に接続されているので、ＥＶＦ１８０をアイレベルポジション（第１配置）から回転させてウエストレベルポジション（第２配置の一例）の状態にすることで、被写体の確認のためにＥＶＦ１８０を目の高さに持ち上げなくても、カメラ本体１の上方からＥＶＦ１８０を覗くことができる。このように、被写体の確認を容易に行なうことができるので、操作性が向上する。
また、このカメラ本体１では、横撮り姿勢の状態で第１方向に沿って被写体側から見た場合の右上にＥＶＦ１８０を配置し、片方の手でカメラ本体１を握ったときにもう片方の手でＥＶＦ１８０を回転させアイレベルポジション（第１配置）からウエストレベルポジション（第２配置の一例）へ切り替えることができるようにすることで、操作性を向上させている。
【００４４】
（９）このカメラ本体１では、従来のオプティカルビューファインダー機能を省略したことにより生じるスペースに、フラッシュ装置１３０の主要なデバイスが配置されている。このように、デッドスペースが有効活用されるので、カメラ本体１の小型化が可能である。
＜６：他の実施形態＞
本発明の具体的な構成は、前述の実施形態に限られるものではなく、発明の要旨を逸脱しない範囲で種々の変更および修正が可能である。
（Ａ）前述の実施形態では、デジタルカメラは、静止画および動画の撮影が可能であるが、静止画撮影のみ、あるいは、動画撮影のみ可能であってもよい。また、デジタルカメラは、交換式レンズ式のデジタルカメラに限られず、例えばデジタルスチルカメラ、デジタルビデオカメラであってもよい。
【００４５】
（Ｂ）前述の実施形態では、第２配置はいわゆるウエストレベルポジションであり、第２配置の状態で第１光軸と第２光軸が概ね直交していたが、第２配置の状態で第１光軸と第２光軸のなす角がこれ以外の角度であってもよい。また、第１光軸に対する第２光軸の角度を複数の角度から選択できるようにして、選択された角度でＥＶＦ１８０が保持されるようにしてもよい。あるいは、第１光軸と第２光軸がなす角を連続的に変えられるようにして、任意の角度でＥＶＦ１８０の保持が可能となるようにしてもよい。
（Ｃ）前述の実施形態では、第１底面１８０ａもしくは第２底面１８０ｂがＥＶＦ１８０の下端であったが、ＥＶＦ１８０のそれ以外の部分が下端になる場合も考えられる。
（Ｄ）前述の実施形態では、ＥＶＦ１８０はカメラ本体１に回転可能に取り付けられたユニットであったが、カメラ本体１と一体となるようにＥＶＦ１８０が構成されていてもよい。
【００４６】
（Ｅ）前述の実施形態では、表示装置１２０は外装部材１６０の背面に設けられていたが、上面１６０ａや側面など他の場所に設けられてもよい。
また、前述の実施形態では表示装置１２０とＥＶＦ１８０の両方が設けられていたが、ＥＶＦ１８０の一方のみが設けられていてもよい。
（Ｆ）前述の実施形態では第２方向から見た場合にホットシュー１２１は全体がＥＶＦ１８０と重なっていたが、ホットシュー１２１の一部がＥＶＦ１８０と重なるように配置されていてもよい。
（Ｇ）電気接点１５１がボディマウント１５０により保持されていてもよい。例えば、電気接点１５１が、ボディマウント１５０の内縁１５０ｂと外縁１５０ａとの間に設けられていてもよい。
【００４７】
（Ｈ）前述の実施形態ではＣＭＯＳ回路基板１１１で行なうとした処理を、メイン回路基板１４０で処理させるようにしてもよい。例えばＡＤ変換の処理をＣＭＯＳ回路基板１１１に行なわせず、メイン回路基板１４０で行なわせることが考えられる。また、前述の実施形態ではメイン回路基板１４０で行なうとした処理の一部をＣＭＯＳ回路基板で処理させるようにしてもよい。
【産業上の利用可能性】
【００４８】
本発明は、レンズ交換式のデジタルカメラに用いられるカメラ本体、レンズ交換式デジタルカメラ、デジタルスチルカメラおよびデジタルビデオカメラなどの撮像装置に適用可能である。
【符号の説明】
【００４９】
１  カメラ本体
１１  電池
１２  ボディ
１３  シャッター釦
２７  オプティカルファインダー部
１１０  ＣＭＯＳイメージセンサー（撮像素子の一例）
１１１  ＣＭＯＳ回路基板
１１２  光学的ローパスフィルタ
１１３  振動板
１２０  表示装置
１２１  ホットシュー
１３０  フラッシュ装置
１３１  ポップアップヒンジ部
１３２  フラッシュ発光部
１３３  コンデンサ
１４０  メイン回路基板
１４０ａ  標準領域
１４０ｂ  突出領域
１５０  ボディマウント
１５０ａ  外縁
１５０ｂ  内縁
１５０ｃ  第１上端（ボディマウントの上端の一例）
１５１  電気接点
１６０  外装部材
１６０ａ  上面
１６０ｂ  底面
１８０  電子ビューファインダー
１８０ａ  第１底面（電子ビューファインダーの下端の一例）
１８０ｂ  第２底面（電子ビューファインダーの下端の一例）
１８１  ＥＶＦ用液晶モニタ（ファインダー画像表示部の一例）
１８２  ＥＶＦ用光学系（ファインダー光学系の一例）
１８３  接眼窓
１９０  シャッターユニット（シャッターの一例）
１９１  シャッター駆動装置
１９１ａ  第２上端
【図１】
2010092028.tif 000003
【図２】
2010092028.tif 000004
【図３】
2010092028.tif 000005
【図４】
2010092028.tif 000006
【図５】
2010092028.tif 000007
【図６】
2010092028.tif 000008